(57)【要約】【課題】首飾りの回転を防止し、安価に製造することができ、使い勝手がよい首飾り用すべり止め具、及び、首飾りを提供する。【解決手段】首飾り用すべり止め具１は、基体部１０を含む。基体部１０は、一面１１に首飾り装着者の皮膚に直接接触する領域１１０を有している。接触領域１１０は、皮膚に対する付着力を有している。本発明に係るすべり止め具１は、紐状部材５と組み合わされて首飾りを構成する。すべり止め具１は、基体部１０と、掛止部３０とを含む。掛止部３０は、貫通部３１を有している。貫通部３１は、基体部１０を接触領域１１０と平行に伸びている。紐状部材５は、貫通部３１に配置され、貫通部３１に配置された状態で着脱可能に保持されている。【選択図】図１
2009297325.tif 000002
【特許請求の範囲】
【請求項１】
首飾りを構成する紐状部材に取り付けられて、首飾りの摺動を防止するために用いられるすべり止め具であって、
前記すべり止め具は、基体部を含み、
前記基体部は、表面に、首飾り装着者の皮膚に直接接触する領域を有しており、
前記領域は、前記皮膚に対する付着力を有している、
すべり止め具。
【請求項２】
請求項１に記載されたすべり止め具であって、さらに掛止部を有しており、
前記掛止部は、貫通部を有しており、
前記貫通部は、前記基体部の内部を前記領域と平行に伸びている、
すべり止め具。
【請求項３】
請求項１又は２に記載されたすべり止め具であって、前記基体部は、表面にチップ片搭載部を有しており、
前記チップ片搭載部は、凹状であって、前記領域に開口している、
すべり止め具。
【請求項４】
すべり止め具と、紐状部材とを含む首飾りであって、
前記すべり止め具は、基体部と、掛止部とを含み、
前記基体部は、表面に、首飾り装着者の皮膚に直接接触する領域を有しており、
前記領域は、前記皮膚に対する付着力を有しており、
前記掛止部は、貫通部を有しており、
前記紐状部材は、前記貫通部に配置され、前記貫通部に配置された状態で着脱可能に保持されている、
首飾り。
【請求項５】
前記請求項４に記載された首飾りであって、
前記紐状部材は、両端のそれぞれに、相互に嵌合可能な留め金具を有しており、
前記すべり止め具は、２つであって、それぞれが前記留め金具の付近に配置され、前記留め金具の嵌合により前記紐状部材が無端状に結合された状態で、前記留め金具の両側に配置されている、
首飾り。
【発明の詳細な説明】
【技術分野】
【０００１】
本発明は、ネックレス、ペンダントなどの首飾りを構成する紐状部材に取り付けられて、首飾りの摺動を防止するために用いられるすべり止め具、及び、首飾りに関する。
【背景技術】
【０００２】
首飾りは、通常、紐状部材の両端が留め金具によって結合され、無端状となる構造を有している。一般に首飾りを構成している紐状部材は、一端に引き輪が備えられ、他端にダルマカンフックが備えられており、装着者は、紐状部材を首の周りに配置した状態で、引き輪を操作してダルマカンフックと結合させることにより、紐状部材を首の周りに掛け止める。
【０００３】
なお、紐状部材がアクセサリーチェーンなどで構成され、紐状部材そのものに装飾効果があるものはネックレスと呼ばれ、紐状部材の中間部分にペンダントトップと呼ばれる装飾体が掛け止められているものはペンダントと呼ばれる。
【０００４】
ところで、首飾りは、首の周りに圧着して固定されているとは限らず、多くの場合、首の周りに余裕を持って遊動可能に配置されていることが多い。その結果、装着者の動作によって生じる振動や、首の振り動かしに伴って生じる皮膚と紐状部材との摩擦により、紐状部材が首の周りを摺り動き、ひどい場合には回転しまうという問題が生じる。
【０００５】
ここで、この種の首飾りには装着態様に正位置があり、例えば、紐状部材の留め金具は、通常、目立たないように首の後ろ側にまわされるから、紐状部材が摺動すると留め金具が正面側に移動する結果、見た目が悪くなる。
【０００６】
特に紐状部材の摺動は、首飾りがペンダントである場合に顕著に現れる。即ち、紐状部材には、ペンダントトップによる荷重が加わるから、配置姿勢が不安定になり、摺動や、摺動による回転がしやすくなる。
【０００７】
従来、装着者は、首飾りの装着中、常に摺動によるズレや回転が生じていないか確認しなければならず、非常に面倒である。しかも、上述した確認動作が習慣的に行われることとなり、周りの人に見苦しい印象を与えることとなる。
【０００８】
上述した問題を解決する技術として、例えば、特許文献１、２に記載された発明が知られている。特許文献１に記載された発明は、チェーンの両端に、ネックレスの引き輪に入る大きさの小さな輪を設け、そのチェーン上を移動できる錘用の装飾を設け、両方または片方の輪をネックレスの留め金具に装着することを特徴としている。
【０００９】
また、特許文献２に記載された発明は、首に掛止され、装飾体が着脱自在に取り付けられる首枠を備えた首飾り用の装飾体保持具であって、首枠は弾性を有し、少なくとも内周部に緩衝部材が設けられた首飾り用の装飾体保持具である。
【００１０】
しかし、特許文献１に記載された発明では、留め金具に錘用の装飾を取付けてその重さにより前へのずり下がりを防ぐものであるから、ずり下がりを充分に抑止することができないことに加え、首飾りの重量化を招く。
【００１１】
また、錘用の装飾は、紐状部材との組み合わせにおいてデザイン上の一体感を確保するする必要があるから、コスト高を招く。さらに、特定の紐状部材との組み合わせを前提として構成された場合、別の首飾りに流用することが難しいから、使い勝手が悪くなる。
【００１２】
しかも、冠婚葬祭など正式な場面で用いられる首飾りの場合、過度の装飾効果を有することは望ましくないから、引用文献１の構成では使い勝手が悪い。
【００１３】
他方、特許文献２に記載された発明では、引用文献１の発明以上に首飾りの重量化、コスト高を招くうえ、首枠による視覚的な印象が強すぎて用途が限定される。
【特許文献１】特開２００４−１２９７２８号公報
【特許文献２】特開２００７−００７３５７号公報
【発明の開示】
【発明が解決しようとする課題】
【００１４】
本発明の課題は、紐状部材の摺動を抑制し、もって首飾りの回転を防止することができる首飾り用すべり止め具、及び、首飾りを提供することである。
【００１５】
本発明のもう１つの課題は、安価に製造することができる首飾り用すべり止め具、及び、首飾りを提供することである。
【００１６】
本発明の更にもう一つの課題は、使い勝手がよく、汎用性に優れた首飾り用すべり止め具、及び、首飾りを提供することである。
【課題を解決するための手段】
【００１７】
上述した課題を解決するため、本発明に係る首飾り用すべり止め具は、基体部を含む。
基体部は、表面に、首飾り装着者の皮膚に直接接触する領域（接触領域）を有している。この接触領域は、皮膚に対する付着力を有している。
【００１８】
上述したすべり止め具は、紐状部材と組み合わされて、首飾りを構成する。本発明に係る首飾りは、すべり止め具と、紐状部材とを含む。すべり止め具は、さらに掛止部を含む。掛止部は、基体部を貫通する貫通部を有している。紐状部材は、貫通部に配置され、貫通部に配置された状態で着脱可能に保持されている。
【００１９】
本発明に係る首飾りを構成するすべり止め具は、基体部を含み、基体部は、表面に接触領域を有し、この接触領域は、皮膚に対する付着力を有しているから、すべり止め具を、装着者の首の周りに固定することができる。
【００２０】
すべり止め具は、接触領域が有する付着力を利用して紐状部材の摺動を抑制し、もって首飾りの回転を防止するものである。即ち、基体部に求められる必要最低限の構造は、表面に接触領域を有すること、及び、接触領域は皮膚に対する付着力を有することの２点であるから、安価に製造することができる。
【００２１】
しかも、基体部の形状は、紐状部材のデザインを考慮して適宜決定することができるから、使い勝手がよく、汎用性に優れたすべり止め具、及び、首飾りを提供することができる。
【００２２】
すべり止め具は、掛止部を含む。掛止部は、基体部を貫通する貫通部を有しており、紐状部材は、貫通部に配置され、貫通部に配置された状態で着脱可能に保持されている。この構造によると、紐状部材が、装着者の動作により摺り動こうとした場合に、基体部の付着力を利用して、紐状部材の摺動を抑制し、もって首飾りの回転を確実に防止することができる。
【００２３】
さらに、紐状部材は、貫通部に配置された状態で着脱可能に保持されているから、必要に応じてすべり止め具を紐状部材から取り外すことができる。従って、使い勝手がよく、汎用性に優れた首飾り用すべり止め具、及び、首飾りを提供することができる。
【００２４】
本発明に係るすべり止め具において、基体部は、表面にチップ片搭載部を有している。チップ片搭載部は、凹状であって、表面に開口している。この構造によると、すべり止め部に、装飾効果を持たせることができる。また、チップ片搭載部にゲルマニウム片や、マグネット片、弱電池を搭載することにより、すべり止め効果とともに、肩こり防止機能をもたせることができる。従って、使い勝手がよく、汎用性に優れた首飾り用すべり止め具、及び、首飾りを提供することができる。
【００２５】
本発明の他の目的、構成及び利点については、添付図面を参照し、更に詳しく説明する。添付図面は、単に、例示に過ぎない。
【発明の効果】
【００２６】
以上述べたように、本発明によれば、次のような効果を得ることができる。
（１）紐状部材の摺動を抑制し、もって首飾りの回転を防止することができる首飾り用すべり止め具、及び、首飾りを提供することができる。
（２）安価に製造することができる首飾り用すべり止め具、及び、首飾りを提供することができる。
（３）使い勝手がよい首飾り用すべり止め具、及び、首飾りを提供することができる。
【発明を実施するための最良の形態】
【００２７】
図１は本発明の一実施形態に係るすべり止め具の斜視図、図２は図１の２−２線に沿った断面図である。図１及び図２のすべり止め具は、ネックレス、ペンダントなどの首飾りに用いられるものであって、基体部１０と、掛止部３０とを含む。
【００２８】
基体部１０は、平面視円形の平板状であって、肉厚方向Ｔで向かい合う一面１１、及び、他面１２を有している。基体部１０は、一面１１の全面に、首飾り装着者の皮膚に直接接触する接触領域１１０を有し、他面１２の全面に、首飾り装着者の皮膚に直接接触する接触領域１２０を有している。
【００２９】
接触領域１１０、１２０は、皮膚に対する付着力を有している。一般に付着力とは、「異種の物質が接触したときに互いに引き合う力」とされている。本明細書において具体的に皮膚に対する付着力には、「互いに接触している二つの物体のうち、一方が運動しようとするとき、または運動しつつあるとき、その接触面に働く運動を妨げようとする力」（摩擦力）と、「物と物とがぴったりくっつく力」（接着力）との両者を含む。もっとも、上述した接着力は、摩擦力と置換可能な範囲で設定されるべきものであるから、剥離と接着とを繰り返し可能な再接着性を有することが好ましい。
【００３０】
接触領域１１０、１２０に付着力を備えさせるための構成としては、第１に基体部１０の構成材料が有する特性に基づく構成、第２に基体部１０の一面１１、又は、他面１２に付着力を有する材料を配置する構成、第３に基体部１０の一面１１、又は、他面１２を粗面加工する構成が考えられる。
【００３１】
第１の構成について、基体部１０は、プラスチックを主成分とし、付着力は摩擦により得られ、好ましくは静止摩擦、滑り摩擦により得られる。本明細書においてプラスチックとは、熱や圧力を加えて成形できる高分子化合物の総称であって、天然樹脂と、合成樹脂の両方を含むものとする。即ち、基体部１０は、天然ゴムなどの天然樹脂、又は、シリコン樹脂、ポリエチレン（ＰＥ）、ポリプロピレン（ＰＰ）などの合成樹脂で構成することができる。
【００３２】
第２の構成については、さらに、付着力が摩擦により備えられる構成と、接着により備えられる構成とに分けられる。付着力が摩擦により備えられる構成では、第１の構成で説明したプラスチックを膜状、又は、層状に形成することにより、接触領域１１０、１２０に付着力が備えられる。他方、付着力が接着により備えられる構成では、一面１１、及び、他面１２に合成樹脂系接着剤を膜状、又は、層状に形成することにより、接触領域１１０、１２０に付着力が備えられる。
【００３３】
第２の構成では、第１の構成とは異なり、基体部１０の構成材料を自由に選択することができるから、例えば、金（Ａｕ）や、銀（Ａｇ）、プラチナ（Ｐｔ）など首飾りに適した貴金属材料で基体部１０を構成することができる。
【００３４】
第３の構成では、付着力は摩擦により得られる。この場合、基体部１０の構成材料は、それ自体の特性として付着力を有する必要はない。
【００３５】
掛止部３０は、基体部１０を貫通する貫通部３１を有している。図１及び図２の貫通部３１は、基体部１０を肉厚方向Ｔに交差する方向に貫通し、貫通方向Ｌに向かい合う基体部１０の側面１３に、第１、第２の開口部３０１、３０２が開口している。貫通部３１は、断面円形状であるが、必ずしもこれに限定されない。貫通部３１は、角形形状であってもよいし、楕円形形状であっても良い。
【００３６】
図３は本発明の一実施形態に係る首飾りの斜視図、図４は図３の４−４線に沿った断面図である。図３及び図４において、図１及び図２に示した構成部分と同一の構成部分には、同一の参照符号を付す。図３及び図４に示すように、図１及び図２のすべり止め具１は、紐状部材５と組み合わされて、首飾りを構成する。
【００３７】
紐状部材５は、好ましくは金属繊維、合成樹脂繊維、又は、金属材料でなる連鎖構造を有している。紐状部材５は、当該技術分野において、ネックレス、ペンダント等の首飾りに用いられる周知の構造、例えば、糸状、綱状、縄状、線状、鎖状の構造を有することができる。
【００３８】
紐状部材５は、貫通部３１に配置され、貫通部３１を構成する内面３３により着脱可能に保持されている。図３及び図４に示した首飾りにおいて、すべり止め具１の基体部１０はプラスチックによって構成されており、紐状部材５は、貫通部３１の内寸法Ｄ３１以上の外寸法Ｄ５を有し、貫通部３１に圧入されている。この構造によると、基体部１０が有するゴム弾性力、又は、体積弾性力を利用してすべり止め具１を紐状部材５に掛け止めることができるとともに、すべり止め具１を紐状部材５に掛け止めた状態で、紐状部材５に沿って強制的にスライド移動させることができる。
【００３９】
図５は本発明の一実施形態に係る首飾りの使用状態を示す図、図６は図５について一部を省略して示す拡大断面図である。図５及び図６において、図１乃至図４に示した構成部分と同一の構成部分には、同一の参照符号を付す。
【００４０】
図５の実施形態は、装着者６が図３及び図４の首飾りを実際に装着した状態を示している。図５において、紐状部材５は、両端が留め金具５０によって結合され、無端状となっている。留め金具５０は、引き輪５１と、ダルマカンフック５２とによって構成されており、引き輪５１は紐状部材５の一端に備えられ、ダルマカンフック５２は紐状部材５の他端に備えられている。装着者６は、紐状部材５を首６０の周りに配置した状態で、引き輪５１を操作してダルマカンフック５２と結合させることにより、紐状部材５を無端状に結合し、首６０の周りに掛け止める。
【００４１】
すべり止め具１は、２つであって、それぞれが留め金具５０の付近に配置され、留め金具５０の嵌合により紐状部材５が無端状に結合された状態で、留め金具５０の両側に点線で示す装着者６の背筋ａ６を基準にして左右対称に間隔を隔てて配置されている。
【００４２】
紐状部材５には、装着者６の動作によって生じる振動や、首６０の振り動かしに伴って生じる皮膚６１と紐状部材５との摩擦により、首６０の周り矢印Ｍ１で示す方向に摺り動こうとする力が加えられ、この力を阻止しない限り、首飾り全体が首６０の周りを摺動し、ひいては回転することとなる。
【００４３】
ここで、すべり止め具１は、皮膚６１に直接接触し、付着力を奏する接触領域１２０を有しているから、紐状部材５のＭ１方向への摺動に対して、接触領域１２０と、皮膚６１との接触面ＳにＭ１方向への摺動を妨げようとする摩擦力Ｆを与え、紐状部材５の摺動を阻止する。従って、通常、目立たないように首６０の後ろ側にまわされる紐状部材５の留め金具５０が、正面側に摺り動く不具合を回避することができる。
【００４４】
また、２つのすべり止め具１が、留め金具５０の両側に左右対称に配置されているから、紐状部材５にＭ１方向へ摺動する力が生じたとしても、この力を分散して受けるとともに、効率よく摩擦力Ｆを働かせることができる。
【００４５】
なお、紐状部材５の摺動は、装着者６の動作次第でＭ１に相対向する方向にも当然に働く。２つのすべり止め具１が、留め金具５０の両側に左右対称に配置されている構成によると、紐状部材５の摺動がＭ１に相対向する方向に生じた場合にも、この力をバランスよく受けることができ、摩擦力Ｆを最大限働かせることができる。
【００４６】
さらに、２つのすべり止め具１を左右対称に配置することにより、デザイン性が維持されるから、ネックレス本来の装飾効果を損なうことなく、すべり止め効果を奏することができる。
【００４７】
図１乃至図６を参照して説明したように、首飾りを構成するすべり止め具１は、基体部１０を含み、基体部１０は、一面１１又は他面１２の少なくとも一方に、接触領域１１０又は１２０を有している。接触領域１１０、１２０は、付着力を有しているから、すべり止め具１を、装着者６の皮膚６１上に、ズレ止め可能に固定することができる。
【００４８】
特に、首飾りには装着態様に正位置があり、例えば、紐状部材５の留め金具５０は、通常、目立たないように首６０の後ろ側にまわされるから、紐状部材５が回転すると留め金具５０が正面側に移動する結果、見た目が悪くなる。特に紐状部材５のＭ１方向への摺動は、首飾りがペンダントである場合に顕著に現れる。即ち、紐状部材５には、ペンダントトップによる荷重が偏って加えられるから、配置姿勢が不安定になり、Ｍ１方向への摺動しやすくなる。
【００４９】
本願発明では、Ｍ１方向への摺動に対して、接触領域１２０と、皮膚６１との接触面ＳにＭ１方向への摺動を妨げようとする摩擦力Ｆが働き、紐状部材５のＭ１方向への摺動が阻止される。従って、通常、目立たないように首６０の後ろ側にまわされる紐状部材５の留め金具５０が、正面側に移動する不具合を回避することができる。
【００５０】
また、装着者６は、首飾りの装着中、首飾りのズレを習慣的に確認する必要がなくなるから、非常に便利であるとともに、周りの人に見苦しい印象を与える不具合を回避することができる。
【００５１】
すべり止め具１において、基体部１０に求められる必要最低限の構造は、接触領域１１０、１２０を有すること、及び、接触領域１１０、１２０が皮膚に対する付着力を有することの２点のみであるから、安価に製造することができる。同様に、すべり止め具１を軽量化することが可能であって、首飾りの重量化を回避することができる。
【００５２】
しかも、基体部１０の形状は、紐状部材５のデザインを考慮して適宜決定することができるから、使い勝手がよく、汎用性に優れた首飾り用すべり止め具１、及び、首飾りを提供することができる。例えば、冠婚葬祭など正式な場面で用いられる首飾りの場合、円形や四角形などありふれた形状とし、さらに肌や服の色とのコントラストを押さえた目立たない色彩に着色するなど、装飾効果を調節することができる。また、基体部１０の形状を小さくすることにより、視覚的な印象を少なくして、首飾りが本来もつ装飾効果への悪影響を少なくすることができる。
【００５３】
すべり止め具１は、掛止部３０を含む。掛止部３０は、基体部１０を貫通する貫通部３１を有しており、紐状部材５は、貫通部３１に配置され、貫通部３１を構成する内面３３により保持されている。この構造によると、紐状部材５が、装着者６の動作などにより摺り動こうとした場合に、基体部１０の付着力を利用して、紐状部材５の摺動、ひいては首飾りの回転を確実に防止することができる。
【００５４】
さらに、紐状部材５は、貫通部３１を構成する内面３３により着脱可能に保持されているから、必要に応じてすべり止め具１を紐状部材５から取り外すことができる。従って、使い勝手がよく、汎用性に優れた首飾り用すべり止め具１、及び、首飾りを提供することができる。
【００５５】
図７及び図８は、本発明のもう一つの実施形態に係るすべり止め具の斜視図である。図７及び図８において、図１及び図６に示した構成部分と同一の構成部分には、同一の参照符号を付す。
【００５６】
図７及び図８のすべり止め具１は、紐状部材５への掛止に向けられた掛止部３０の具体的な構造に違いがあるものの、その他の部分では、図１乃至図６で説明したすべり止め具１の基本的構成を全て有している。以下、相違点を中心に説明する。
【００５７】
図７のすべり止め具１は、紐状部材５への取り付けに際し、取り付け操作を効率化するため、紐状部材５を挟持可能とした構造を有している。即ち、すべり止め具１を構成する基体部１０は、第１の構成片１０１と、第２の構成片１０２との張り合わせによって構成されている。
【００５８】
第１の構成片１０１は、一面１１に接触領域１１０を有し、他面に凹溝１４を有している。第２の構成片１０２は、他面１２に接触領域１２０を有し、一面に凹溝１５を有している。
【００５９】
第１、第２の構成片１０１、１０２の張り合わせは、張り合わせと分離とを繰り返し可能であることが好ましい。図示からは必ずしも明らかではないが、上述した繰り返し張り合わせ可能な構造として、第１、第２の構成片１０１、１０２の張り合わせ面間に再接着性を有する接着剤を塗布することや、張り合わせ面の凹凸嵌合部を設けることが好ましい。
【００６０】
貫通部３１は、第１、第２の構成片１０１、１０２の張り合わせ面間において、凹溝１４、１５の重なり合いにより形成される。
【００６１】
他方、図８のすべり止め具１は、紐状部材５への取り付けに際し、取り付け操作を効率化するため、紐状部材５を一面１１から内部に案内可能とした構造を有している。具体的に掛止部３０は、貫通部３１と、切り込み部３６とを有している。
【００６２】
切り込み部３６は、スリット状であって、第１の開口端３６１と、第２の開口端３６２とを有し、貫通部３１の貫通方向に沿って伸びている。第１の開口端３６１は基体部１０の一面１１に開口し、第２の開口端３６２は、貫通部３１の内面３３に開口している。第２の開口端３６２の開口幅は、貫通部３１の内寸法Ｄ３１よりも狭くなっており、貫通部３１の内部に案内された紐状部材５に対して、第２の開口端３６２が返し部分として機能する。即ち、貫通部３１の内部に案内された紐状部材５は、第２の開口端３６２に突き当たることにより、脱落が防止される
上述した、図７及び図８のすべり止め具１によっても、図１乃至図６を参照して説明したすべり止め具１、及びこれを用いた首飾りの利点を全て有することができるのは明白である。
【００６３】
さらに、図７に示したすべり止め具１では、第１、第２の構成片１０１、１０２で紐状部材５を挟み込むから、すべり止め具１が小型化した場合でも、簡単に紐状部材５にとりつけることができる。
【００６４】
図８に示したすべり止め具１では、貫通部３１の伸びる方向に沿って基体部１０を山折りすることにより、切り込み部３６を広げることが可能であるから、紐状部材５を貫通部３１に配置することが容易になる。しかも、貫通部３１に紐状部材５を配置した後は、山折りを解除することにより切り込み部３６を閉じ合わせることにより、紐状部材５の脱落が防止される。従って、紐状部材５に対する取り付けが容易になる。
【００６５】
図９は本発明のさらにもう一つの実施形態に係るすべり止め具の斜視図、図１０は本発明のもう一つの実施形態に係る首飾りの平面図である。図９及び図１０において、図１乃至図８に示した構成部分と同一の構成部分には、同一の参照符号を付す。
【００６６】
図９の実施形態は、図７及び８のすべり止め具について、さらに取り付け操作の効率化を図ったものである。即ち、図９において、掛止部３０の貫通部３１は一面１１に開口する凹溝状となっている。
【００６７】
さらに、掛止部３０は、貫通方向Ｌの両端に溝幅が拡張する第１、第２の拡張部３７、３８を有しており、第１の拡張部３７の内寸法Ｄ３７は、貫通部３１の内寸法Ｄ３１より大きくなっており、両者間に寸法差が生じている。以下、説明の都合上、第１の拡張部３７について説明するが、第２の拡張部３８も、好ましくは内寸法Ｄ３７と同じ内寸法Ｄ３８を有している。
【００６８】
図１０を参照すると、貫通部３１の内寸法Ｄ３１は、好ましくは紐状部材５の外寸法Ｄ５以下であって、より好ましくは紐状部材５の外寸法Ｄ５より小さく設定されている。貫通部３１は、紐状部材５が内部に圧入されたとき、寸法差の分だけ、内面３３が基体部１０のゴム弾性又は体積弾性に応じて変形し、紐状部材５を密着して保持する。
【００６９】
図９及び図１０のすべり止め具１によっても、図１乃至図８を参照して説明したすべり止め具１、及びこれを用いた首飾りの利点を全て有することができるのは明白である。さらに、図９及び図１０に示したすべり止め具１では、紐状部材５を一面１１の側から貫通部３１に押し付けて、内部に圧入するだけで紐状部材５に掛けとめることができるから、紐状部材５に対する取り付け操作が容易になる。
【００７０】
図１１は本発明のさらにもう一つの実施形態に係るすべり止め具の斜視図、図１２は本発明のもう一つの実施形態に係る首飾りの正面断面図である。図１１及び図１２において、図１乃至図１０に示した構成部分と同一の構成部分には、同一の参照符号を付す。
【００７１】
図１１及び図１２のすべり止め具１において、掛止部３０は、第１の貫通部３１と、第２の貫通部３２とを有している。第１、第２の貫通部３１、３２は、全体として肉厚方向Ｔに直交する方向Ｌに伸びている。
【００７２】
具体的に第１の貫通部３１は、第１の開口部３０１と、第３の開口部３０３とを有し、第１の開口部３０１は基体部１０の側面１３に開口し、第３の開口部３０３は基体部１０の一面１１に開口し、全体としてＬ字状に屈曲している。
【００７３】
第２の貫通部３２は、第２の開口部３０２と、第４の開口部３０４とを有し、第２の開口部３０２は基体部１０の側面１３に開口し、第４の開口部３０４は基体部１０の一面１１に開口し、全体としてＬ字状に屈曲している。
【００７４】
第１、第２の開口部３０１、３０２は、基体部１０を肉厚方向Ｔに直交する方向Ｌに向かい合っている。
【００７５】
図１２を参照すると、紐状部材５は、掛止部３０において第１の開口部３０１から第１の貫通部３１に導入されて、第３の開口部３０３を通じて一旦、基体部１０の一面１１上に導出され、さらに第４の開口部３０４から第２の貫通部３２に導入されて、第２の開口部３０２を通じて外部に導出される。  
【００７６】
図１１及び図１２のすべり止め具１によっても、図１乃至図１０を参照して説明したすべり止め具１、及びこれを用いた首飾りの利点を全て有することができるのは明白である。
【００７７】
さらに、図１１及び図１２の実施形態では、紐状部材５に引っ張り力Ｍ３が加えられると、第３、第４の開口部３０３、３０４の間で一面１１上に導かれている紐状部５から、すべり止め具１に対して肉厚方向Ｔに押し付ける力Ｐ１が加わる。それと同時に、第１、第２の貫通部３１、３２に挿通されている紐状部５から、すべり止め具１に対して肉厚方向Ｔに持ち上げようとする力Ｐ２が加わる。この構造によると、引っ張り力Ｍ３が失われ、紐状部材５に弛みが生じない限り、すべり止め具１は紐状部材５により縫い止められた状態となるから、優れた掛止効果を有することができる。
【００７８】
しかも、図１１及び図１２のすべり止め具１では、基体部１０の一面１１に紐状部材５の一部が露出し、外部から視認可能となっているから、紐状部材５が持つ本来の装飾効果を奏することができる。
【００７９】
図１３は本発明のさらにもう一つの実施形態に係るすべり止め具の斜視図、図１４は本発明のもう一つの実施形態に係る首飾りの正面断面図である。図１３及び図１４において、図１乃至図１２に示した構成部分と同一の構成部分には、同一の参照符号を付す。
【００８０】
図１３及び図１４の実施形態では、基体部１０の他面１２にのみ接触領域１２０を有しており、一面１１には接触領域（１１０）を有していない点、及び、一面１１に掛止部３０が突設されている点に特徴がある。以下、相違点を中心に説明する。
【００８１】
掛止部３０は、基体部１０の一面１１において突設され、肉厚方向Ｔに立ち上がっている。図１３及び図１４の掛止部３０は、基体部１０と一体的に結合されているが、必ずしもこれに限定されない。例えば、別体で構成される掛止部３０を基体部１０に後付けしてもよい。掛止部３０は、肉厚方向Ｔに交差する方向Ｌに貫通する貫通部３１を有している。
【００８２】
図１４を参照すると、紐状部材５は、貫通部３１に配置され、貫通部３１を構成する内面３３により着脱可能に保持されている。紐状部材５は、貫通部３１の内寸法Ｄ３１以下の外寸法Ｄ５を有し、貫通部３１に圧入されている。
【００８３】
図１３及び図１４のすべり止め具１によると、貫通部３１が基体部１０の一面１１に突設されており、しかも貫通部３１の長手寸法が短くなっているから、すべり止め具１を紐状部材５に取り付ける操作が容易になる。
【００８４】
図１５は、本発明のさらにもう一つの実施形態に係るすべり止め具の図である。図１５において、図１乃至図１４に示した構成部分と同一の構成部分には、同一の参照符号を付す。
【００８５】
図１５の実施形態は、図１４のすべり止め具１を基準として、図８を参照して説明した技術的思想を組み合わせ、取り付け操作の利便性を図ったものである。即ち、紐状部材５への取り付けに際し、紐状部材５を貫通部３１に挿通するのではなく、肉厚方向Ｔから貫通部３１の内部に案内可能とした構造を有している。
【００８６】
図１５の実施形態は、２つの掛止部３０を有している。2つの掛止部３０は、同じ構造を有しており、基体部１０の一面１１において間隔を隔てて突設され、肉厚方向Ｔに立ち上がっている。２つの掛止部３０は、貫通部３１が貫通方向Ｌに沿って直線状に重なり合うよう位置決めされている。
【００８７】
図１５のすべり止め具１によると、図８を参照して説明した利点、及び、図１３及び図１４を参照して説明した利点を全て有することができる。さらに、紐状部材は、間隔を隔てて突設された２つの掛止部３０によって保持されるから、配置姿勢が安定化し、もって、すべり止め効果の信頼性が向上する。
【００８８】
図１６乃至図１８は、本発明のさらにもう一つの実施形態に係るすべり止め具の図である。図１６乃至図１８において、図１乃至図１５に示した構成部分と同一の構成部分には、同一の参照符号を付す。
【００８９】
図１乃至図１５を参照して説明したように、本発明の一実施形態に係るすべり止め具１の利点は、基体部１０に接触領域１１０を設け、この接触領域１１０が有する付着力により、紐状部材５の摺動を妨げ、もって首飾りの回転を防止するものである。従って、基体部１０は、接触領域１１０に所望の付着力が備えられている限り、デザイン性を考慮して様々な形状、及び、構造にすることができる。
【００９０】
図１６は基体部１０の平面形状をハート型にしたものであり、図１７は基体部１０を正六面体状としてものであり、図１８は基体部１０を三角柱状のパイプ型にしたものである。図１６乃至図１８に示した実施形態によっても、すべり止め具１の基体部１０は、接触領域１１０を有しているから、図１乃至図１５を参照して説明した利点を全て有することができるのは明白である。
【００９１】
図１９及び図２０は、本発明のさらにもう一つの実施形態に係るすべり止め具の図である。図１９及び図２０において、図１乃至図１８に示した構成部分と同一の構成部分には、同一の参照符号を付す。
【００９２】
図１９のすべり止め具１は、基体部１０の一面１１にチップ片搭載部４０を有している点で特徴がある。チップ片搭載部４０は、凹状であって、接触領域１１０、１２０に開口している。
【００９３】
図２０を参照すると、チップ片搭載部４０は、チップ片４１の寸法に追従して形成され、チップ片４１が搭載されている。チップ片４１は、ゲルマニウム、マグネット、弱電池（０．３Ｖ程度）など肩こり予防に効果があるとされるものであって、チップ片搭載部４０の内部に圧入され、又は、接着剤を介して着脱可能に固定されている。
【００９４】
図１９及び図２０に示した構造によると、すべり止め具１は、基本的機能としてすべり止め機能を有するとともに、付加価値として肩こり防止機能を持たせることが可能となる。
【００９５】
図２１は本発明のさらにもう一つの実施形態に係る首飾りの部分断面図である。また、図２２は図２１の首飾りに用いられているすべり止め具を取り出して示す斜視図、図２３は図２２に示したすべり止め具の断面図である。図２１ないし図２３において、図１乃至図２０に示した構成部分と同一の構成部分には、同一の参照符号を付す。
【００９６】
図２１の首飾りは、紐状部材５と、複数の装飾体５３とを有する。装飾体５３は、好ましくは宝石や貴金属材料を略球状に加工したもの、又は、真珠などの略球状体である。もっとも、装飾体５３は、この種の首飾りにおいて、視覚を通じて美観を起こさせる装飾効果を有するものであれば何でもよく、その形状は、首飾りのデザインに応じて適宜設定することができる。
【００９７】
装飾体５３は、内部を貫通する貫通孔５３０を有しており、貫通孔５３０は、貫通方向の両端で外部に開口している。そして、複数の装飾体５３は、それぞれの貫通孔５３０に紐状部材５が挿通され、紐状部材５上に間隔Ｄ１３を隔てて連続して掛け止められている。ここで、紐状部材５の長さと、装飾体５３の個数に個々の直径を乗じて得られる長さとを、予め調節することにより、首飾りの外周には、一体的に連なる装飾体５３の表面によって凹凸の繰り返しが現れる。
【００９８】
図２１の実施形態は、上述した首飾りの基本的構成に加え、さらにすべり止め具１を有し、すべり止め具１が隣接する装飾体５３の間に、まるで埋没するかのように配置されている点に特徴がある。以下、すべり止め具１の具体的構造について、図２２及び図２３を参照して説明する。
【００９９】
図２２及び図２３のすべり止め具は、基体部１０と、掛止部３０とを含む。基体部１０は、円柱状であって、一面１１、他面１２、及び、側面１３を有している。
【０１００】
一面１１は、基体部１０の一方端面であって、正面視円形状を有し、図２１に示した装飾体５３の直径Ｄ５３と同程度か、若しくは、装飾体５３の直径Ｄ５３よりわずかに大きな最大差し渡し寸法Ｄ１１を有している。
【０１０１】
さらに一面１１は、断面凹状の曲面であって、中心軸ａに向かって徐々に肉厚を減少させる方向に湾曲している。一面１１の凹構造は、装飾体５３の表面形状に追従して設定されるものであって、図２２及び図２３では、一面１１によって半球状の装飾体収納空間が構成されている。
【０１０２】
他面１２は、基体部１０の他方端面であって、一面１１と中心軸ａの両側で向かい合っている。他面１２は、好ましくは一面１１を左右反転した対称構造となっている。
【０１０３】
基体部１０は、一面１１と他面１２との間に側面１３を有しており、側面１３は、全面に、首飾り装着者の皮膚に直接接触する接触領域を有している。この接触領域は、皮膚に対する付着力を有している。図２２及び図２３の側面１３は、隣接する装飾体５３の間隔Ｄ１３に等しい長さ寸法を有している。
【０１０４】
掛止部３０は、基体部１０を貫通する貫通部３１を有している。図２２及び図２３の貫通部３１は、基体部１０を中心軸ａに沿って貫通し、一面１１の中央と、他面１２の中央とで外部に開口している。
【０１０５】
さらにすべり止め具１は、紐状部材５への取り付けに際し、取り付け操作を効率化するため、紐状部材５を、側面１３から貫通部３１の内部に案内可能する構造を有している。具体的に掛止部３０は、切り込み部３６を有している。切り込み部３６は、スリット状であって、貫通部３１の貫通方向に沿って伸びており、一方の開口端が側面１３に開口し、他方の開口端が貫通部３１の内面に開口している。
【０１０６】
上述した、図２１の首飾り、及び、図２２及び図２３のすべり止め具１によっても、図１乃至図２０を参照して説明したすべり止め具１、及びこれを用いた首飾りの利点を全て有することができる。
【０１０７】
さらに、図２２及び図２３に示したすべり止め具１では、すべり止め具１が隣接する装飾体５３の間に配置されているから、すべり止め具１を目立たない態様で、紐状部材５に取り付けることが可能となり、首飾り本来の装飾効果を損なうことなく、すべり止め効果を奏することができる。
【０１０８】
ここで基体部１０の一面１１は、装飾体５３の直径Ｄ５３と同程度か、若しくは、装飾体５３の直径Ｄ５３よりわずかに大きな最大差し渡し寸法Ｄ１１を有しているから、側面１３が首飾り装着者の皮膚に接触し、皮膚に対する付着力を奏することができる。従って、装着者の動作などによる紐状部材５の摺動を阻止することができる。
【０１０９】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【０１１０】
【図１】本発明の一実施形態に係るすべり止め具の斜視図である。
【図２】図１の２−２線に沿った断面図である。
【図３】本発明の一実施形態に係る首飾りの斜視図である。
【図４】図３の４−４線に沿った断面図である。
【図５】本発明の一実施形態に係る首飾りの使用状態を示す図である。
【図６】図５について一部を省略して示す拡大断面図である。
【図７】本発明のもう一つの実施形態に係るすべり止め具の斜視図である。
【図８】本発明のさらにもう一つの実施形態に係るすべり止め具の斜視図である。
【図９】本発明のさらにもう一つの実施形態に係るすべり止め具の斜視図である。
【図１０】本発明のもう一つの実施形態に係る首飾りの平面図である。
【図１１】本発明のさらにもう一つの実施形態に係るすべり止め具の斜視図である。
【図１２】本発明のもう一つの実施形態に係る首飾りの正面断面図である。
【図１３】本発明のさらにもう一つの実施形態に係るすべり止め具の斜視図である。
【図１４】本発明のもう一つの実施形態に係る首飾りの正面断面図である。
【図１５】本発明のさらにもう一つの実施形態に係るすべり止め具の斜視図である。
【図１６】本発明のさらにもう一つの実施形態に係るすべり止め具の平面図である。
【図１７】本発明のさらにもう一つの実施形態に係るすべり止め具の斜視図である。
【図１８】本発明のさらにもう一つの実施形態に係るすべり止め具の斜視図である。
【図１９】本発明のさらにもう一つの実施形態に係るすべり止め具の斜視図である。
【図２０】本発明のさらにもう一つの実施形態に係るすべり止め具の断面図である。
【図２１】本発明のさらにもう一つの実施形態に係る首飾りの部分断面図である。
【図２２】図２１の首飾りに用いられているすべり止め具を取り出して示す斜視図である。
【図２３】図２２に示したすべり止め具の内部構造を示す断面図である。
【符号の説明】
【０１１１】
１              首飾り用すべり止め具
１０            基体部
１１０、１２０  接触領域
３０            掛止部
３１、３２      第１、第２の貫通部
３３            貫通部の内面
４０            チップ片搭載部
５              紐状部材
５０            留め金具
【図１】
2009297325.tif 000003
【図２】
2009297325.tif 000004
【図３】
2009297325.tif 000005
【図４】
2009297325.tif 000006
【図５】
2009297325.tif 000007
【図６】
2009297325.tif 000008
【図７】
2009297325.tif 000009
【図８】
2009297325.tif 000010
【図９】
2009297325.tif 000011
【図１０】
2009297325.tif 000012
【図１１】
2009297325.tif 000013
【図１２】
2009297325.tif 000014
【図１３】
2009297325.tif 000015
【図１４】
2009297325.tif 000016
【図１５】
2009297325.tif 000017
【図１６】
2009297325.tif 000018
【図１７】
2009297325.tif 000019
【図１８】
2009297325.tif 000020
【図１９】
2009297325.tif 000021
【図２０】
2009297325.tif 000022
【図２１】
2009297325.tif 000023
【図２２】
2009297325.tif 000024
【図２３】
2009297325.tif 000025